(57)【要約】【課題】原稿の所望の位置に所望の内容を容易に印刷できるようにし原稿を再利用する。【解決手段】画像形成装置は、原稿の画像データ（第１データ）を生成する画像読取部、印刷を行う印刷部、第２データを取得する取得部、表示部、操作部、画像処理部、制御部を含む。制御部は、第２データの内容を示す第２画像のうち選択された選択領域を第１データの内容を示す第１画像内に表示させる。画像処理部は選択領域に対応する部分が第１画像内での選択領域の位置に対応する位置に印刷されるように上書き印刷用画像データを生成する。給紙部に原稿がセットされている場合、制御部は上書き印刷用画像データに基づき原稿に印刷を行う。【選択図】図４
2018098678.tif 000002
【特許請求の範囲】
【請求項１】
読み取った原稿の画像データである第１データを生成する画像読取部と、
給紙を行う給紙部を含み、給紙された用紙に印刷を行う印刷部と、
第２データを取得する取得部と、
画像を表示する表示部と、
使用者の操作を受け付ける操作部と、
前記原稿に印刷を行うための上書き印刷用画像データを生成する画像処理部と、
制御部と、を含み、
前記制御部は、前記第１データの内容を示す第１画像と、前記第２データの内容を示す第２画像を表示部に表示させ、
前記操作部は、前記第２画像の全部の領域又は一部の領域を選択する選択操作を受け付け、
前記制御部は、前記第２画像のうち前記選択操作で選択された選択領域を前記第１画像内に表示させ、
前記操作部は、前記選択領域の位置を前記第１画像内で移動させる移動操作を受け付け、
前記画像処理部は、前記第２データのうち前記選択領域に対応する部分が前記第１画像内での前記選択領域の位置に対応する位置に印刷されるように前記上書き印刷用画像データを生成し、
前記上書き印刷用画像データが生成され、かつ、前記給紙部に前記原稿がセットされている場合、
前記制御部は、前記給紙部に前記原稿を給紙させ、前記上書き印刷用画像データに基づき前記原稿への上書き印刷を前記印刷部に行わせることを特徴とする画像形成装置。
【請求項２】
前記操作部は前記表示部に対して設けられたタッチパネルであり、
前記選択操作がなされたとき、
前記制御部は、前記選択領域を囲む枠線を前記表示部に表示させ、
前記移動操作は前記枠線内をタッチしたままタッチ位置を移動させた後、前記タッチパネルから指を離す操作であり、
前記制御部は、タッチ位置の移動にあわせて前記選択領域を前記第１画像内で移動させ、前記タッチパネルから指が離されたとき、前記選択領域の移動を前記表示部に止めさせることを特徴とする請求項１に記載の画像形成装置。
【請求項３】
前記選択操作がなされたとき、
前記操作部は前記選択領域を拡大又は縮小する倍率変更操作を受け付け、
前記制御部は、前記倍率変更操作に応じて前記選択領域の大きさの変更を前記表示部に行わせ、
前記画像処理部は、
前記倍率変更操作で設定された倍率に基づき、前記第２データのうち前記選択領域に対応する部分を拡大又は縮小し、
拡大又は縮小した前記選択領域の内容が前記第１画像内での前記選択領域の位置に対応する位置に印刷されるように前記上書き印刷用画像データを生成することを特徴とする請求項１又は２に記載の画像形成装置。
【請求項４】
前記画像読取部が前記原稿を読み取ったとき、
前記制御部は、前記原稿の前記給紙部へのセット方法の案内画面を前記表示部に表示させることを特徴とする請求項１乃至３の何れか１項に記載の画像形成装置。
【請求項５】
第２画像読取部を含み、前記給紙部として前記第２画像読取部で読み取られた前記原稿を前記印刷部に搬送する搬送装置を含むことを特徴とする請求項１乃至３の何れか１項に記載の画像形成装置。
【請求項６】
前記画像処理部は、
前記第１データに含まれる文字のフォントである第１フォントを認識し、
前記第２データに含まれる文字のフォントである第２フォントを認識し、
前記制御部は、前記第２データに含まれる文字を前記第１フォントに変換した前記第２画像を表示部に表示させ、
前記制御部は、前記第２データのうち前記選択領域に対応する部分に含まれる文字が前記第１フォントで印刷されるように前記上書き印刷用画像データを生成することを特徴とする請求項１乃至５の何れか１項に記載の画像形成装置。
【請求項７】
前記操作部が前記選択操作を受け付けたとき、
前記制御部は、含まれる文字を前記第１フォントに変換されている前記選択領域を前記第１画像内に表示させることを特徴とする請求項６に記載の画像形成装置。
【発明の詳細な説明】
【技術分野】
【０００１】
本発明は、原稿読み取り可能な画像形成装置に関する。
【背景技術】
【０００２】
プリンター、複合機、複写機、ファクシミリ装置のような画像形成装置には、表示パネルが設けられることがある。プレビュー画像を表示パネルで表示することがある。プレビュー画像は出力結果（仕上がり）を示す画像である。プレビュー画像は使用者の設定に基づいて表示される。プレビュー画像により、使用者は、印刷のような出力開始前に希望する結果を得られるか否かを確認できる。特許文献１には、プレビュー画像に関する技術の一例が記載されている。
【０００３】
具体的に、特許文献１には、表示装置、ユーザの操作を受付ける入力装置を含み、ユーザ設定に従って第１画像データを画像処理して第２画像データを生成し、第２画像データの出力前に表示装置でプレビュー表示を行い、第１画像データから第１プレビュー画像データを生成し、生成した第１プレビュー画像データに基づいて表示装置に第１プレビュー画像を表示し、第１プレビュー画像の表示に引き続いて第２画像データに対応する第２プレビュー画像データを生成し、表示装置の表示を生成した第２プレビュー画像データに基づく第２プレビュー画像に変更し、画像処理は第１画像データに第３画像データを合成して第２画像データを生成する画像合成処理を含む画像処理が記載されている。この構成により、すばやい出力画像のプレビュー表示をしようとする（特許文献１：請求項１、請求項２、段落［０００６］）。
【先行技術文献】
【特許文献】
【０００４】
【特許文献１】特開２００９−２８２８５３号公報
【発明の概要】
【発明が解決しようとする課題】
【０００５】
ある原稿から抜き出した部分を別の原稿に貼り付けた画像を得たい場合がある。この場合、従来、画像合成が行われている。画像合成を行う場合、それぞれの原稿の画像データを用意する。例えば、画像読取装置で読み取りを行って各原稿の画像データを得る。そして、画像編集ソフトやＰＣを利用し画像合成の作業が行われる。例えば、抜き出す部分を選択し、抜き出した部分を他の画像データに貼り付ける作業が行われる。画像合成の編集作業により、１つの画像データが生成される。編集で生成された画像データに基づき、白紙に印刷が行われる。
【０００６】
このような画像合成を行った場合、画像データを得るために画像読取装置で読み取った原稿は不要となる。不要な原稿は破棄される。原稿が再利用されず、無駄になるという問題がある。
【０００７】
ここで、特許文献１において、第１画像データは、画像読取部により読取った画像データ（入力画像データ）である（特許文献１：段落［００２４］）。この第１画像データに、スタンプのような文字や定型パターンの画像のデータ（第３画像データ）を合成する（特許文献１：段落［００４４］）。そして、第２画像データ（出力画像データ）が生成される（特許文献１：段落［００４６］、［００４８］）。第２画像データ（出力画像データ）は印刷出力される（特許文献１：段落［００６０］）。特許文献１記載の技術でも、入力画像データを得るための原稿は不要となる。従って、上記の問題を解決することはできない。
【０００８】
本発明は、上記問題点を鑑み、原稿の所望の位置に所望の内容を容易に印刷できるようにし、原稿を再利用する。
【課題を解決するための手段】
【０００９】
上記課題達成のため、請求項１に係る画像形成装置は、画像読取部、印刷部、取得部、表示部、操作部、画像処理部、制御部を含む。前記画像読取部は、読み取った原稿の画像データである第１データを生成する。前記印刷部は、給紙を行う給紙部を含み、給紙された用紙に印刷を行う。前記取得部は、第２データを取得する。前記表示部は画像を表示する。前記操作部は、使用者の操作を受け付ける。前記画像処理部は、前記原稿に印刷を行うための上書き印刷用画像データを生成する。前記制御部は、前記第１データの内容を示す第１画像と、前記第２データの内容を示す第２画像を表示部に表示させる。前記操作部は、前記第２画像の全部の領域又は一部の領域を選択する選択操作を受け付ける。前記制御部は、前記第２画像のうち前記選択操作で選択された選択領域を前記第１画像内に表示させる。前記操作部は、前記選択領域の位置を前記第１画像内で移動させる移動操作を受け付ける。前記画像処理部は、前記第２データのうち前記選択領域に対応する部分が前記第１画像内での前記選択領域の位置に対応する位置に印刷されるように前記上書き印刷用画像データを生成する。前記上書き印刷用画像データが生成され、かつ、前記給紙部に前記原稿がセットされている場合、前記制御部は、前記給紙部に前記原稿を給紙させる。そして、前記制御部は、前記上書き印刷用画像データに基づき前記原稿への上書き印刷を前記印刷部に行わせる。
【発明の効果】
【００１０】
本発明によれば、画像形成装置の給紙部にセットされた原稿のうち、所望の位置に所望の内容を印刷することができる。また、複雑な操作や、煩わしい位置調整作業は不要である。使用者の使い勝手のよい画像形成装置を提供することができる。
【図面の簡単な説明】
【００１１】
【図１】実施形態に係る複合機の一例を示す図である。
【図２】実施形態に係る複合機の一例を示す図である。
【図３】実施形態に係るモード設定画面の一例を示す図である。
【図４】実施形態に係る上書き印刷モードでの処理の流れの一例を示すフローチャートである。
【図５】実施形態に係る上書き印刷モードでの処理の流れの一例を示すフローチャートである。
【図６】実施形態に係る複合機でのデータ処理を説明するための図である。
【図７】実施形態に係る選択操作の一例を示す図である。
【図８】実施形態に係る選択操作の一例を示す図である。
【図９】実施形態に係る移動操作の一例を示す図である。
【図１０】実施形態に係る倍率変更操作の一例を示す図である。
【図１１】実施形態に係る案内画面の一例を示す図である。
【図１２】実施形態に係る上書き印刷用画像データの一例を示す図である。
【図１３】変形例に係る複合機の一例を示す図である。
【図１４】変形例に係る複合機の一例を示す図である。
【発明を実施するための形態】
【００１２】
以下、図１〜図１２を用いて、本発明に係る画像形成装置を説明する。画像形成装置として複合機１００を例に挙げて説明する。但し、本実施の形態に記載されている構成、配置等の各要素は、発明の範囲を限定するものではなく単なる説明例にすぎない。
【００１３】
なお、以下の説明において、第１データＤ１は、画像読取部２（又は第２画像読取部８）の読み取りに基づき生成された画像データである。第２データＤ２は、取得部（通信部６１、Ｉ／Ｆ部６２、無線通信部６３）が取得したデータである。第１画像ｉ１は、第１データＤ１の内容を示す参照用の画像である。第２画像ｉ２は、第２データＤ２の内容を示す参照用の画像である。
【００１４】
（複合機１００の概要）
まず、図１、図２を用いて実施形態に係る複合機１００の概要を説明する。図１、図２は、実施形態に係る複合機１００の一例を示す図である。
【００１５】
複合機１００は、制御部１と記憶部３を含む。制御部１は複合機１００の各部を制御する。制御部１は、ＣＰＵ１１、画像処理部１２を含む。ＣＰＵ１１は制御に関する演算、処理を行う。画像処理部１２は、画像データに関する処理を行う。記憶部３はＲＯＭ、ＲＡＭ、ＨＤＤのような記憶装置を含み、制御用プログラムや各種データを記憶する。
【００１６】
複合機１００には画像読取部２が設けられる。コンタクトガラス２１と原稿カバー２２２２が画像読取部２の上面に設けられる。降ろされた状態の原稿カバー２２はコンタクトガラス２１を覆う。原稿カバー２２は持ち上げることができる。使用者は、原稿カバー２２を持ち上げ、コンタクトガラス２１に原稿をセットする。そして、使用者は原稿カバー２２を降ろす。制御部１は、コンタクトガラス２１にセットされた原稿を画像読取部２に読み取らせる。画像読取部２は原稿の画像データを生成する。
【００１７】
制御部１は、操作パネル４と通信可能に接続される。操作パネル４は、表示パネル４１（表示部に相当）、タッチパネル４２（操作部に相当）、ハードキー４３（操作部に相当）を含む。制御部１は表示パネル４１の表示を制御する。制御部１は、画面、画像を表示パネル４１に表示させる。例えば、制御部１は操作用画像を表示させる。操作用画像は、ソフトキーやボタンである。タッチパネル４２の出力に基づき、制御部１は操作された操作用画像を認識する。また、制御部１は、操作されたハードキー４３を認識する。このように、操作パネル４は使用者の操作を受け付ける。操作された操作用画像やハードキー４３に応じ、制御部１は画面切替を表示パネル４１に行わせる。制御部１は、操作パネル４でなされた設定操作の内容を認識する。制御部１は設定どおりに動作するように複合機１００を制御する。
【００１８】
複合機１００は、印刷部５を含む。印刷部５は、給紙カセット５ａ（給紙部に相当）、用紙搬送部５ｂ、画像形成部５ｃ、定着部５ｄを含む。印刷ジョブのとき、制御部１は、用紙を一枚ずつ給紙カセット５ａに供給させる。制御部１は、用紙搬送部５ｂに用紙を搬送させる。制御部１は、画像データに基づきトナー像を画像形成部５ｃに形成させる。また、制御部１は、搬送される用紙へのトナー像の転写を画像形成部５ｃに行わせる。制御部１は、トナー像の用紙への定着を定着部５ｄに行わせる。用紙搬送部５ｂは、印刷済用紙を排出トレイに排出する。
【００１９】
複合機１００は、通信部６１（取得部に相当）、Ｉ／Ｆ部６２（取得部に相当）、無線通信部６３（取得部に相当）を含む。通信部６１はＰＣやサーバーのようなコンピューター２００と通信する。通信部６１は通信用のコネクタや通信回路を含む。通信部６１は、コンピューター２００とデータを送受信できる。Ｉ／Ｆ部６２は、接続された携帯型メモリー３００と通信する。携帯型メモリー３００は、例えば、ＵＳＢメモリーやメモリーカードである。Ｉ／Ｆ部６２は携帯型メモリー３００用のコネクタや通信回路を含む。Ｉ／Ｆ部６２は、携帯型メモリー３００のデータを読み出す。無線通信部６３はスマートフォンやタブレットコンピューターのような携帯通信機器４００と無線通信する。無線通信部６３は無線通信用のアンテナや通信回路を含む。無線通信部６３は携帯通信機器４００とデータを送受信できる。
【００２０】
（上書き印刷モードの設定）
次に、図３を用いて、実施形態に係る上書き印刷モードのための設定の一例を説明する。図３は、実施形態に係るモード設定画面４ａの一例を示す図である。
【００２１】
複合機１００では、上書き印刷モードを用いることができる。上書き印刷モードは、原稿の所望の位置に所望の内容を上書きできるモードである。なお、複合機１００では、上書き印刷モードの他に通常モードを有する。通常モードでは、原稿の読み取りで得られた画像データの内容を白紙に印刷することができる。また、通常モードでは、原稿の読み取りで得られた画像データを送信することもできる。
【００２２】
上書き印刷モードを用いるか否かは操作パネル４で設定することができる。上書き印刷モードを用いる場合、使用者は図３に示すモード設定画面４ａを表示パネル４１に表示させる。操作パネル４に所定の操作がなされたとき、制御部１は、モード設定画面４ａを表示パネル４１に表示させる。
【００２３】
モード設定画面４ａには、使用キーＫ１、不使用キーＫ２、完了キーＫ３が設けられる。使用キーＫ１は上書き印刷モードを用いるときに操作される。不使用キーＫ２は上書き印刷モードを用いないときに操作させる。使用キーＫ１が操作された状態で完了キーＫ３が操作されたとき、制御部１は上書き印刷モードを用いる設定がされたと認識する。このとき、制御部１は複合機１００を上書き印刷モードにする。不使用キーＫ２が操作された状態で完了キーＫ３が操作されたとき、制御部１は上書き印刷モードを用いない設定がされたと認識する。制御部１は複合機１００を通常モード（上書き印刷モードではないモード）にする。
【００２４】
なお、上書き印刷モードを用いるか否かの設定をコンピューター２００や携帯通信機器４００で行えるようにしてもよい。この場合、コンピューター２００や携帯通信機器４００にモード設定画面４ａと同様の画面を表示できるようにする。上書き印刷モードを用いる設定がなされたとき、コンピューター２００や携帯通信機器４００は、上書き印刷モードを用いる旨の信号を複合機１００に向けて送信する。通信部６１や無線通信部６３は、コンピューター２００や携帯通信機器４００から上書き印刷モードを利用する旨の信号を受信する。このとき、制御部１は複合機１００を上書き印刷モードとする。
【００２５】
（上書き印刷モード）
次に、図２、図４〜図１２を用いて、実施形態に係る上書き印刷モードでの処理の流れの一例を説明する。図４、図５は、実施形態に係る上書き印刷モードでの処理の流れの一例を示すフローチャートである。便宜上、上書き印刷モードの一連の処理を図４と図５に分割して示している。図６は、実施形態に係る複合機１００でのデータ処理を説明するための図である。図７、図８は、実施形態に係る選択操作の一例を示す図である。図９は実施形態に係る移動操作の一例を示す図である。図１０は実施形態に係る倍率変更操作の一例を示す図である。図１１は、実施形態に係る案内画面４ｃの一例を示す図である。図１２は、実施形態に係る上書き印刷用画像データＤ０の一例を示す図である。
【００２６】
図４のスタートは、上書き印刷モードを利用する設定がなされた時点である。まず、制御部１は、複合機１００を原稿の読み取り待ち状態とする（ステップ♯１）。このとき、制御部１は、メッセージや画像を表示パネル４１に表示させる。例えば、制御部１は、「原稿をコンタクトガラスにセットして下さい。」のようなメッセージを表示パネル４１に表示させる。また、制御部１は、コンタクトガラス２１への原稿のセット手順（方向、裏表）を表示パネル４１に表示させてもよい。
【００２７】
そして、制御部１はセットされた原稿を画像読取部２に読み取らせる（ステップ♯２）。例えば、操作パネル４の特定のハードキー４３（例えば、スタートキー）が操作されたとき、制御部１は原稿の読み取りを画像読取部２に開始させる。また、制御部１は、原稿読み取り開始用のソフトキーを表示パネル４１に表示させておいてもよい。ソフトキーが操作されたとき、制御部１は原稿の読み取りを画像読取部２に開始させる。
【００２８】
その結果、画像読取部２は第１データＤ１（第１画像データ）を生成し、制御部１は第１データＤ１を記憶部３に記憶させる（ステップ♯３）。第１データＤ１は、読み取りにより得られた原稿の画像データである。例えば、ＲＧＢの画像データが第１データＤ１として生成される。
【００２９】
ここで、図２、図６を用いて第１データＤ１の生成を説明する。図２に示すように、画像読取部２は読取ユニット２３、ワイヤー２４、巻取ドラム２５を含む。ワイヤー２４の一端は読取ユニット２３と接続される。ワイヤー２４の他端は巻き取りドラムと接続される。また、図６に示すように、画像読取部２は読取モーター２６を含む。読取モーター２６は巻取ドラム２５を回転させる。
【００３０】
読取ユニット２３は、光源、レンズ、イメージセンサーを含む。光源はコンタクトガラス２１上の原稿に光を当てる。レンズは原稿の反射光をイメージセンサーに導く。イメージセンサーはラインセンサーを含む。イメージセンサーの各受光素子は、受光した反射光の量に応じたアナログ信号を出力する。図３に示すように、画像読取部２には第１生成部２７が設けられる。第１生成部２７は、各受光素子が出力するアナログ信号を処理する。そして、第１生成部２７は、第１データＤ１を生成する。生成された第１データＤ１は、記憶部３に記憶される。
【００３１】
次に、制御部１は、取得部（通信部６１、Ｉ／Ｆ部６２、又は、無線通信部６３）に第２データＤ２を取得させる（ステップ♯４）。そして、制御部１は、取得された第２データＤ２を記憶部３に記憶させる（ステップ♯５）。第２データＤ２は、原稿に上書きする内容を含む。ステップ♯４の前に、制御部１は、第２データＤ２に関するメッセージや画像を表示パネル４１に表示させてもよい。例えば、制御部１は、「上書きに用いるデータを入力して下さい。」のようなメッセージを表示パネル４１に表示させる。また、制御部１は、第２データＤ２の取得部への入力手順を表示パネル４１に表示させてもよい。
【００３２】
制御部１は第２データＤ２を通信部６１に取得させてもよい。制御部１は、通信部６１が受信したコンピューター２００からのデータを第２データＤ２と扱う。なお、コンピューター２００から上書き印刷モードを用いる旨の信号とともに、第２データＤ２が通信部６１に向けて送信されてもよい。この場合、ステップ♯５は、ステップ♯１の前に実現される。
【００３３】
また、制御部１は第２データＤ２を無線通信部６３に取得させてもよい。制御部１は、無線通信部６３が受信した携帯通信機器４００からのデータを第２データＤ２と扱う。なお、上書き印刷モードを用いる旨の信号とともに、第２データＤ２が携帯通信機器４００から通信部６１に向けて送信されてもよい。この場合も、ステップ♯５は、ステップ♯１の前に実現される。
【００３４】
また、制御部１は第２データＤ２をＩ／Ｆ部６２に取得させてもよい。この場合、携帯型メモリー３００はＩ／Ｆ部６２に接続される。制御部１は、携帯型メモリー３００に記憶された第２データＤ２の読み出しをＩ／Ｆ部６２に行わせる。携帯型メモリー３００に記憶されたデータのうち、第２データＤ２として読み出すデータを操作パネル４で選択できるようにしてもよい。制御部１は選択されたデータを第２データＤ２としてＩ／Ｆ部６２に読み出させる。
【００３５】
そして、画像処理部１２（制御部１）は、第２データＤ２に対応する画像データを生成し、記憶部３に記憶させる（ステップ♯６）。以下、第２データＤ２に対応する画像データを第２画像データＤ２ａと称する。例えば、ＲＧＢの画像データが第２画像データＤ２ａとして生成される。画像処理部１２は、ラスターデータでないデータからラスターデータ（画像データ）を生成するラスターデータ生成回路１３を含む。
【００３６】
第２データＤ２は、テキストを含むデータでもよい。例えば、第２データＤ２は、テキストファイル、ワープロソフトで作成された文書ファイル、表計算ソフトで作成された文書でもよい。ラスターデータ生成回路１３は、第２データＤ２に含まれる各文字、数字を画像に置き換える。ラスターデータ生成回路１３は、第２データＤ２を１枚の画像データ（第２画像データＤ２ａ）に置き換える。
【００３７】
第２データＤ２は、ページ記述言語で記述されたデータであってもよい。例えば、コンピューター２００や携帯通信機器４００にドライバーソフトウェアをインストールしておく。このドライバーソフトウェアは、複合機１００に送信するデータをページ記述言語で記述されたデータに書き換える。ラスターデータ生成回路１３は、ページ記述言語で記述されたデータを画像データに変換する。ラスターデータ生成回路１３は、第２データＤ２を１枚の画像データ（第２画像データＤ２ａ）に置き換える。
【００３８】
なお、第２データＤ２は画像データそのものでもよい。この場合、制御部１は取得された画像データに基づく第２画像データＤ２ａを記憶部３に記憶させる。
【００３９】
ここで、上書き印刷モードでは、第２データＤ２（第２画像データＤ２ａ）の内容の一部又は全部が原稿に上書きされる。そこで、第２データＤ２（第２画像データＤ２ａ）のフォントの自動変換処理を行ってもよい。画像処理部１２は自動変換処理を行う。自動変換処理は、第２データＤ２（第２画像データＤ２ａ）のフォントを第１データＤ１で用いられているフォントと一致させる処理である。図７、図１０の第２画像ｉ２は、自動変換処理がなされた画像である。第２画像ｉ２の文字、数字が第１画像ｉ１のフォントと同じフォントに変換済である。
【００４０】
操作パネル４は、自動変換処理を行うか否かを受け付ける。図３に示すモード設定画面４ａには、実行キーＫ４と不実行キーＫ５が配される。実行キーＫ４は自動変換処理を行うときに操作される。不実行キーＫ５は自動変換処理を行わないときに操作される。実行キーＫ４と使用キーＫ１が操作された状態で完了キーＫ３が操作されたとき、制御部１は上書き印刷モードで自動変換処理を実行する設定がされたと認識する。不実行キーＫ５と使用キーＫ１が操作された状態で完了キーＫ３が操作されたとき、制御部１は上書き印刷モードで自動変換処理を実行しない設定がされたと認識する。
【００４１】
自動変換処理を行うとき、画像処理部１２は、第１データＤ１に含まれる文字のフォントである第１フォントを認識する。例えば、画像処理部１２は、第１データＤ１のＯＣＲ処理を行う。ＯＣＲ処理のため、画像処理部１２はＯＣＲ処理回路１４を含む。そして、画像処理部１２は、第１データＤ１に含まれる文字、数字を認識する。記憶部３には複数種類のフォントデータｆｎ１が記憶される（図１参照）。フォントデータｆｎ１と第１データＤ１に含まれる文字、数字に基づき、画像処理部１２は、第１フォントを認識する。例えば、画像処理部１２は、ＯＣＲ処理で認識した文字、数字のうち、予め定められた特定記号に対応する画像を第１データＤ１から抽出する。例えば、数字やよく用いられる文字（例えば、アルファベットのｅ）の画像を抽出する。また、画像処理部１２は、各フォントデータｆｎ１中の特定記号の画像と、抽出した画像とを比較する。画像処理部１２は、最も近似したフォント（違いが少ない）を第１フォントと認識する。なお、他のアルゴリズムに基づき、画像処理部１２は第１フォントを認識してもよい。
【００４２】
また、画像処理部１２は、第２データＤ２に含まれる文字のフォントである第２フォントを認識する。第２データＤ２がテキストを含むデータの場合、画像処理部１２はファイルで定義されているフォントを確認する。また、第２データＤ２がページ記述言語で記述されている場合、画像処理部１２は、ページ記述言語で指定されているフォントを認識する。また、第２データＤ２が画像データの場合、画像処理部１２は、第１データＤ１と同様にＯＣＲ処理を行って第２フォントを認識する。第２データＤ２が画像データの場合、画像処理部１２は、第１データＤ１と同様の手順で第２フォントを認識する。
【００４３】
第２データＤ２がテキストを含むデータの場合、画像処理部１２は、第２データＤ２の各文字、数字を第１フォントの文字、数字に置き換えて、第２画像データＤ２ａを生成する。第２データＤ２がページ記述言語で記述されたデータの場合、画像処理部１２は、第２データＤ２の各文字、数字を第１フォントの文字、数字に置き換えて、第２画像データＤ２ａを生成する。第２データＤ２が画像データである場合、画像処理部１２は、認識した各文字、数字の画像を第１フォントの文字、数字の画像に置き換えて、第２画像データＤ２ａを生成する。
【００４４】
画像処理部１２（制御部１）は、第１画像ｉ１を表示するための第１参照用データＰ１を生成し、記憶部３に記憶させる（ステップ♯７）。そして、制御部１は、第１参照用データＰ１に基づき第１画像ｉ１を表示パネル４１に表示させる（ステップ♯８）。また、画像処理部１２（制御部１）は、第２画像ｉ２を表示するための第２参照用データＰ２を生成し、記憶部３に記憶させる（ステップ♯９）。そして、制御部１は、第２参照用データＰ２に基づき第２画像ｉ２を表示パネル４１に表示させる（ステップ♯１０）。なお、自動変換処理がなされたとき、制御部１は、第２データＤ２に含まれる文字を第１フォントに変換した第２画像ｉ２を表示パネル４１に表示させる。各参照用データを生成するため、参照用データ生成回路１５が画像処理部１２に設けられる。
【００４５】
第１画像ｉ１は、第１データＤ１の内容を示す画像である。第１データＤ１の画素数が表示パネル４１で第１画像ｉ１を表示する領域（第１領域Ｆ１）の画素数よりも大きいとき、画像処理部１２は、第１データＤ１の画素を間引きした（縮小した）画像データを第１参照用データＰ１として生成する。第１データＤ１の画素数が第１領域Ｆ１の画素数以下のとき、画像処理部１２は、第１画像データを第１参照用データＰ１とする。
【００４６】
また、第２画像ｉ２は、第２データＤ２の内容を示す画像である。第２画像データＤ２ａの画素数が第２画像ｉ２を表示する領域（第２領域Ｆ２）の画素数よりも大きいとき、画像処理部１２は、第２画像データＤ２ａの画素を間引きした（縮小した）画像データを第２参照用データＰ２として生成する。第２画像データＤ２ａの画素数が第２領域Ｆ２の画素数以下のとき、画像処理部１２は、第２画像データＤ２ａを第２参照用データＰ２とする。
【００４７】
図７、図８に示すように、制御部１は、第１画像ｉ１と第２画像ｉ２を表示パネル４１に表示させる。以下の説明では、第１画像ｉ１と第２画像ｉ２を表示する画面を上書き印刷設定画面４ｂと称する。上書き印刷設定画面４ｂには、確定キーＫ６、キャンセルキーＫ７、全選択キーＫ８、ＯＫキーＫ９が配される。
【００４８】
そして、操作パネル４（タッチパネル４２）は、選択操作を受け付ける（ステップ♯１１）。選択操作は、第２画像ｉ２のうち、全部又は一部の領域を選択する操作である。全選択キーＫ８を操作することにより、第２画像ｉ２の全てを選択することができる。図７の上側の図は、使用者が全選択キーＫ８を操作したことを示す。制御部１は選択操作により選択された領域（選択領域Ｆ０）を認識する。一部を選択する場合、使用者は第２画像ｉ２をタッチする。そして、使用者は、タッチしたまま選択する領域を囲む。図８の上側の図は、「□□□  □□□」の部分を選択する操作を示している。図８の上側の図では、タッチ位置の軌跡の一例を破線矢印で示している。
【００４９】
制御部１は、選択領域Ｆ０（の画像）を第１画像ｉ１内に表示させる（ステップ♯１２）。このとき、制御部１は、選択領域Ｆ０を囲む枠線を表示パネル４１に表示させる（ステップ♯１３）。図７の下側の図は、選択された第２画像ｉ２の全体を第１画像ｉ１内に表示した例を示す。図８の下側の図は、第２画像ｉ２のうち、選択された「□□□  □□□」の部分を第１画像ｉ１内に表示した例を示す。図７の下側の図と、図８の下側の図は、破線を枠線として用いる例を示す。枠線は例えば、１点鎖線、２点鎖線、赤色実線でもよい。つまり、枠線の線種は破線以外でもよい。尚、自動変換処理がなされた場合、選択操作がなされたとき、制御部１は、文字、数字が第１フォントに変換された選択領域Ｆ０を第１画像ｉ１内に表示させる。
【００５０】
また、操作部は、移動操作、倍率変更操作を受け付ける（ステップ♯１４）。制御部１は、移動操作、倍率変更操作を認識する（ステップ♯１５）。そして、移動操作に応じて、制御部１は選択領域Ｆ０の表示位置変える（ステップ♯１６）。また、倍率変更操作に応じて、制御部１は選択領域Ｆ０の大きさ（表示サイズ）を変える（ステップ♯１６）。
【００５１】
移動操作は選択領域Ｆ０を第１画像ｉ１内で移動させる操作である。倍率変更操作は、第１領域Ｆ１内の選択領域Ｆ０の大きさを変更する操作である。なお、移動操作がなされないとき、制御部１は選択領域Ｆ０の表示位置を変えない。倍率変更操作がなされないとき、制御部１は選択領域Ｆ０の大きさを変えない。
【００５２】
図９を用いて移動操作の一例を説明する。複合機１００では、移動操作は枠線内を一点タッチしたままタッチ位置を移動させた後、タッチパネル４２から指を離す操作である。制御部１は、タッチ位置の移動にあわせて選択領域Ｆ０を第１画像ｉ１内で移動させる。タッチパネル４２から指が離されたとき、制御部１は、選択領域Ｆ０の移動を表示パネル４１に止めさせる。なお、他の操作を移動操作としてもよい。図９は、選択領域Ｆ０を左上方向に移動させた例を示す。
【００５３】
次に、図１０を用いて倍率変更操作の一例を説明する。複合機１００では、倍率変更操作は枠線内の２点をタッチしたまま指の間を広げる、または、狭める操作である。枠線内の２点をタッチしたまま指の間隔を広げる操作は、選択領域Ｆ０を拡大する操作である。枠線内の２点をタッチしたまま指の間隔を狭める操作は、選択領域Ｆ０を縮小する操作である。図１０は選択領域Ｆ０を縮小する操作の一例を示す。
【００５４】
２点タッチされたとき、タッチパネル４２の出力に基づき、制御部１は、各タッチ位置の座標を認識する。各タッチ位置の距離が長くなったとき、制御部１は、拡大操作がなされたと認識する。最初のタッチ位置の２点の距離が長くなるほど、拡大率を大きくする。各タッチ位置の距離が短くなったとき、制御部１は、縮小操作がなされたと認識する。最初のタッチ位置の２点の距離が短くなるほど、縮小率を大きくする。制御部１は倍率変更操作が終わったときの倍率を認識する。
【００５５】
なお、上書き印刷設定画面４ｂに、拡大キー（不図示）と縮小キー（不図示）を配してもよい。拡大キーは、選択領域Ｆ０の拡大を指示するための拡大キーである。縮小キーは、選択領域Ｆ０の縮小を指示するためのキーである。例えば、拡大キーが押されるごとに、制御部１は、所定の割合だけ選択領域Ｆ０を拡大させる。縮小キーが押されるごとに、制御部１は、所定の割合だけ選択領域Ｆ０を縮小させる。
【００５６】
そして、操作パネル４は確定操作を受け付ける（ステップ♯１７）。確定操作は、選択領域Ｆ０の位置、大きさを確定するための操作である。タッチパネル４２は確定キーＫ６の操作を確定操作として受け付ける。タッチパネル４２の出力に基づき、制御部１は、確定操作がなされたことを認識する。制御部１は、選択の枠線を消す。また、制御部１は選択領域Ｆ０の位置、大きさを固定する。
【００５７】
制御部１は、再度、選択操作がなされたか否かを確認する（ステップ♯１８）。つまり、第２画像ｉ２から複数の領域を選択することができる。再度選択操作がなされたとき（ステップ♯１８）、フローはステップ♯１４に戻る。再度選択操作がなされないとき（ステップ♯１８のＮｏ）、制御部１はＯＫキーＫ９が操作されたか否かを確認する（ステップ♯１９）。つまり、使用者が、上書き印刷を開始するための入力を行ったか否かを確認する。
【００５８】
ＯＫキーＫ９が操作されていないとき（ステップ♯１９のＮｏ）、フローはステップ♯１８に戻る。ＯＫキーＫ９が操作されたとき（ステップ♯１９のＹｅｓ）、制御部１は、原稿の給紙カセット５ａ（給紙部）へのセット方法を案内する案内画面４ｃを表示パネル４１に表示させる（ステップ♯２０）。
【００５９】
図１１は案内画面４ｃの一例を示す。図１１は、給紙部（給紙カセット５ａ）への原稿のセットの手順を示している。図１１のうち上側の画面は最初に表示される案内画面４ｃである。最初の案内画面４ｃには、次キーＫ１０が配される。次キーＫ１０が操作されたとき、制御部１は、図１１の下側の画面を表示パネル４１に表示させる。図１１の下側の案内画面４ｃに示すように、制御部１は、給紙カセット５ａにセットする原稿の表裏、方向を案内する。この案内画面４ｃには、終了キーＫ１１が配される。給紙カセット５ａへの原稿セットが完了したとき、使用者は終了キーＫ１１を操作する。
【００６０】
制御部１は、終了キーＫ１１の操作を認識する（ステップ♯２１）。終了キーＫ１１の操作に基づき、制御部１は、第１データＤ１に対応する原稿が給紙カセット５ａ（給紙部）にセットされていると認識する。終了キーＫ１１が操作されたとき、制御部１は、上書き印刷用画像データＤ０を画像処理部１２に生成させる（ステップ♯２２）。そして、制御部１は、セットされた原稿を給紙カセット５ａに給紙させる（ステップ♯２３）。さらに、上書き印刷用画像データＤ０に基づき、制御部１は、原稿への上書き印刷を印刷部５に行わせる（ステップ♯２４）。上書き印刷された原稿は排出トレイに排出される（ステップ♯２５→エンド）。
【００６１】
ここで、画像処理部１２は、上書き印刷用画像データＤ０を生成する上書き印刷用画像データ生成回路１６を含む。画像処理部１２は、第２画像データＤ２ａに基づき上書き印刷用画像データＤ０を生成する。例えば、画像処理部１２は、原稿（第１データＤ１）と同じサイズの白紙の画像データを生成する。言い換えると、画像処理部１２は、第１データＤ１の縦幅と横幅に対応するドット数の白紙の画像データを生成する。
【００６２】
続いて、制御部１は、第２データＤ２（第２画像データＤ２ａ）から選択領域Ｆ０に対応する部分を抽出する。自動変更処理を行う設定の場合、画像処理部１２は、自動変更処理後の第２画像データＤ２ａから選択領域Ｆ０に対応する部分を抽出する。拡大又は縮小がなされたとき、画像処理部１２は、抽出した部分（画像データ）の拡大又は縮小を行う。画像処理部１２は、倍率変更操作で設定された倍率と同じ倍率で抽出した画像データの大きさを変更する。
【００６３】
画像処理部１２は、第２データＤ２（第２画像データＤ２ａ）のうち選択領域Ｆ０に対応する部分が第１画像ｉ１内での選択領域Ｆ０の位置に対応する位置に印刷されるように上書き印刷用画像データＤ０を生成する。画像処理部１２は、選択領域Ｆ０に対応する画像データを、白紙の画像データに貼り付ける。拡大、縮小した場合、画像処理部１２は、サイズを変更した画像データを、白紙の画像データに貼り付ける。
【００６４】
図１２は、上書き印刷用画像データＤ０の一例を示す図である。図１２に示す上書き印刷用画像データＤ０は、図１０の上書き印刷設定画面４ｂでの設定の結果、生成される画像データの一例を示す。図１２に示すように、上書き印刷用画像データＤ０は、第２データＤ２（第２画像データＤ２ａ）のうち、選択された部分を含む。第２データＤ２以外の部分は白紙である。白紙部分ではトナー像は形成されない。
【００６５】
このようにして、実施形態に係る複合機１００（画像形成装置）は、画像読取部２、印刷部５、取得部（通信部６１、Ｉ／Ｆ部６２、無線通信部６３）、表示部（表示パネル４１）、操作部（タッチパネル４２、ハードキー４３）、画像処理部１２、制御部１を含む。画像読取部２は、読み取った原稿の画像データである第１データＤ１を生成する。印刷部５は、給紙を行う給紙部（給紙カセット５ａ）を含み、給紙された用紙に印刷を行う。取得部は、第２データＤ２を取得する。表示部は画像を表示する。操作部は、使用者の操作を受け付ける。画像処理部１２は、原稿に印刷を行うための上書き印刷用画像データＤ０を生成する。制御部１は、第１データＤ１の内容を示す第１画像ｉ１と、第２データＤ２の内容を示す第２画像ｉ２を表示部に表示させる。操作部は、第２画像ｉ２の全部の領域又は一部の領域を選択する選択操作を受け付ける。制御部１は、第２画像ｉ２のうち選択操作で選択された選択領域Ｆ０を第１画像ｉ１内に表示させる。操作部は、選択領域Ｆ０の位置を第１画像ｉ１内で移動させる移動操作を受け付ける。画像処理部１２は、第２データＤ２のうち選択領域Ｆ０に対応する部分が第１画像ｉ１内での選択領域Ｆ０の位置に対応する位置に印刷されるように上書き印刷用画像データＤ０を生成する。上書き印刷用画像データＤ０が生成され、かつ、給紙部に原稿がセットされている場合、制御部１は、給紙部に原稿を給紙させる。そして、制御部１は、上書き印刷用画像データＤ０に基づき原稿への上書き印刷を印刷部５に行わせる。
【００６６】
これにより、第２データＤ２（第２画像ｉ２）から選択した内容を給紙部にセットされた原稿に印刷することができる。選択した内容を所望の位置からずれずに原稿に印刷することができる。選択操作、移動操作をするだけでよい。極めて容易に所望の内容を原稿の所望の位置に印刷することができる。従って、原稿を再利用することができる。
【００６７】
また、一部が意図的に記入されていない書類（原稿）を給紙部にセットしてもよい。所望の内容の原稿への上書きを容易に行うことができる。例えば、氏名が記入されていない賞状や証明書を給紙部にセットする。そして、氏名を含むデータを第２データＤ２として用意する。第２画像ｉ２で氏名を選択するだけでセットされた賞状や証明書に氏名を上書きすることができる。
【００６８】
また、操作部は表示部に対して設けられたタッチパネル４２である。選択操作がなされたとき、制御部１は、選択領域Ｆ０を囲む枠線を表示部に表示させる。移動操作は枠線内をタッチしたままタッチ位置を移動させた後、タッチパネル４２から指を離す操作である。制御部１は、タッチ位置の移動にあわせて選択領域Ｆ０を第１画像ｉ１内で移動させ、タッチパネル４２から指が離されたとき、選択領域Ｆ０の移動を表示部に止めさせる。これにより、容易に選択領域Ｆ０を第１画像ｉ１内で移動させることができる。従って、原稿に上書きする第２データＤ２の位置を容易に設定することができる。
【００６９】
また、選択操作がなされたとき、操作部は選択領域Ｆ０を拡大又は縮小する倍率変更操作を受け付ける。制御部１は、倍率変更操作に応じて選択領域Ｆ０の大きさの変更を表示部に行わせる。画像処理部１２は、倍率変更操作で設定された倍率に基づき、第２データＤ２（第２画像データＤ２ａ）のうち選択領域Ｆ０に対応する部分を拡大又は縮小する。画像処理部１２は、拡大又は縮小した選択領域Ｆ０の内容が第１画像ｉ１内での選択領域Ｆ０の位置に対応する位置に印刷されるように上書き印刷用画像データＤ０を生成する。これにより、選択領域Ｆ０を自由に拡大又は縮小することができる。そして、拡大又は縮小した内容を原稿に上書き印刷することができる。所望の位置からずれることなく原稿に拡大又は縮小した内容を印刷することができる。極めて容易に所望の大きさで、所望の内容を原稿に上書き印刷することができる。
【００７０】
また、画像読取部２が原稿を読み取ったとき、制御部１は、原稿の給紙部へのセット方法の案内画面４ｃを表示部に表示させる。これにより、原稿が給紙部に正しくセットされる。逆のセット方向で原稿が給紙部にセットされることを無くすことができる。また、原稿の裏表を逆にして原稿が給紙部にセットされることを無くすことができる。間違った位置に選択した内容が上書き印刷されることを防ぐことができる。
【００７１】
また、画像処理部１２は第１データＤ１に含まれる文字のフォントである第１フォントを認識する。画像処理部１２は第２データＤ２に含まれる文字のフォントである第２フォントを認識する。制御部１は、第２データＤ２に含まれる文字を第１フォントに変換した第２画像ｉ２を表示部に表示させる。制御部１は、第２データＤ２のうち選択領域Ｆ０に対応する部分に含まれる文字が第１フォントで印刷されるように上書き印刷用画像データＤ０を生成する。これにより、第２データＤ２のうち選択領域Ｆ０に対応する部分を違和感が無いように原稿に上書きすることができる。上書きした部分が変に目立たない。使用者にとって満足できる上書きを原稿に施すことができる。
【００７２】
また、操作部が選択操作を受け付けたとき、制御部１は、含まれる文字を第１フォントに変換されている選択領域Ｆ０を第１画像ｉ１内に表示させる。これにより、実際の上書き印刷の結果に近い画像を使用者に見せることができる。
【００７３】
（変形例）
次に、図１３、図１４を用いて、変形例を説明する。図１３、図１４は、変形例に係る複合機１００の一例を示す図である。
【００７４】
上記の実施形態の説明では、使用者が原稿を給紙部にセットする例を説明した。変形例では、搬送装置７を複合機１００に取り付ける点で異なる。複合機１００自体は上述の実施形態のものと同様でよい。この搬送装置７は、画像読取部２で読み取られた原稿を印刷部５に搬送する。搬送装置７は、給紙部として機能する。搬送装置７を取り付けることで、上書き印刷のとき、使用者は給紙部に原稿をセットしなくてすむ。
【００７５】
図１３に示すように、搬送装置７は、複合機１００の右側面に取り付けられる。搬送装置７の上面は開口している。開口部分７０と印刷部５（画像形成部５ｃ）の上流（手前部分）とを接続する搬送経路７１が設けられる。開口側の搬送経路７１の端が原稿の差し込み口となる。搬送経路７１には複数の搬送ローラー対７２が設けられる。図１３にて、破線矢印で示すように、差し込み口に差し込まれた原稿は画像形成部５ｃに向けて搬送される。図１４に示すように、搬送装置７は各搬送ローラー対７２を回転させるための搬送モーター７３を含む。制御部１は、差し込まれた原稿を搬送するとき、搬送モーター７３を回転させる。
【００７６】
また、図１３に示すように、差し込み口には、第２画像読取部８が設けられる。第２画像読取部８は、搬送される原稿のうち、上書きする面を読み取る。第２画像読取部８は、読取ユニット８１を含む。読取ユニット８１は光源、レンズ、イメージセンサーを含む。光源は各搬送ローラー対７２により搬送される原稿に光を当てる。レンズは原稿の反射光をイメージセンサーに導く。イメージセンサーはラインセンサーを含む。イメージセンサーの各受光素子は、受光した反射光の量に応じたアナログ信号を出力する。図１４に示すように、第２画像読取部８は、第２生成部８２を含む。第２生成部８２は、各受光素子が出力するアナログ信号を処理する。そして、第２生成部８２は第１データＤ１（原稿の画像データ）を生成する。生成された第１データＤ１は、記憶部３に記憶される。
【００７７】
変形例の複合機１００では、搬送装置７にも第２画像読取部８が設けられる。そのため、上書き印刷モードのとき、複合機１００の上方の画像読取部２を用いて原稿を読み取ってもよい。また、搬送装置７に設けられた第２画像読取部８を用いて原稿を読み取ってもよい。そこで、原稿の差し込み口に差し込み検知センサー７４を設けてもよい。差し込み検知センサー７４は、原稿の存在を検知しているときとしていないときとで出力レベルが変化する。差し込み検知センサー７４の出力は、制御部１に入力される。
【００７８】
差し込み検知センサー７４が原稿を検知したとき、制御部１は、搬送モーター７３を回転させる。また、制御部１は、第２画像読取部８（読取ユニット８１）に、搬送される原稿を読み取らせる。上書き印刷モードのとき、制御部１は、画像形成部５ｃの上流側に設けられたレジストローラー対５１まで原稿を搬送する。図１３に示すように、レジストローラー対５１の上流側近傍にはレジストセンサー５２が設けられる。レジストセンサー５２の出力に基づき、制御部１は、レジストローラー対５１への原稿先端の到達を認識する。つまり、制御部１は、給紙部としての搬送装置７に原稿がセットされていると認識する。原稿の先端到達時、制御部１はレジストローラー対５１を停止させている。原稿はレジストローラー対５１に突き当たる。レジストローラー対５１への原稿到達の認識後、制御部１は、一定時間、搬送モーター７３を回転させる。原稿の弾性を利用して、原稿の斜行が矯正される。その後、搬送モーター７３を停止させる。
【００７９】
上書き印刷モードのとき、第２画像読取部８の読み取りにより得られた第１データＤ１に基づき、制御部１は、第１参照用データＰ１を画像処理部１２に生成させる。制御部１は、第１参照用データＰ１に基づき第１画像ｉ１を表示パネル４１に表示させる。各種操作（選択操作、移動操作、倍率変更操作）の後、ＯＫキーＫ９が操作されたとき、制御部１は上書き印刷用画像データＤ０を生成する。なお、搬送装置７により原稿を読み取ったとき、案内画面４ｃの表示は不要である。
【００８０】
ここで、第１画像ｉ１を表示パネル４１に表示させるには、原稿の全体を読み取る必要がある。そのため、第２画像読取部８の読取位置からレジストローラー対５１までの長さ（搬送距離）は、最大用紙の搬送方向の長さよりも長くなっている。最大用紙とは、複合機１００で印刷可能な最大サイズの用紙である。
【００８１】
上書き印刷用画像データＤ０が生成されると、制御部１は、搬送モーター７３（搬送ローラー対７２）及びレジストローラー対５１を回転させる。これにより、印刷部５（画像形成部５ｃ）への原稿の給紙が行われる。言い換えると、原稿が画像形成部５ｃから下流に向けて搬送される。上書き印刷用画像データＤ０に基づき、制御部１は、画像形成部５ｃにトナー像を形成させる。制御部１は、原稿にトナー像を転写させる。定着部５ｄを通過した原稿は、機外に排出される。
【００８２】
変形例に係る複合機１００は、給紙部として第２画像読取部８を含み、第２画像読取部８で読み取られた原稿を印刷部５に搬送する搬送装置７を含む。これにより、自動的に上書きする原稿が印刷部５に送られる。使用者が原稿を給紙部にセットしなくてよい。
【００８３】
以上、本発明の実施形態について説明したが、本発明の範囲はこれに限定されるものではなく、発明の主旨を逸脱しない範囲で種々の変更を加えて実施することができる。
【産業上の利用可能性】
【００８４】
本発明は、画像読取部を含む画像形成装置に利用可能である。
【符号の説明】
【００８５】
１００  複合機（画像形成装置）          １      制御部
１２    画像処理部                      ２      画像読取部
４１    表示パネル（表示部）            ４２    タッチパネル（操作部）
４３    ハードキー（操作部）            ４ｃ    案内画面
５      印刷部                          ５ａ    給紙カセット（給紙部）
６１    通信部（取得部）                ６２    Ｉ／Ｆ部（取得部）
６３    無線通信部（取得部）            ７      搬送装置（給紙部）
８      第２画像読取部                  Ｄ０    上書き印刷用画像データ
Ｄ１    第１データ                      Ｄ２    第２データ
Ｆ０    選択領域                        ｉ１    第１画像
ｉ２    第２画像
【図１】
2018098678.tif 000003
【図２】
2018098678.tif 000004
【図３】
2018098678.tif 000005
【図４】
2018098678.tif 000006
【図５】
2018098678.tif 000007
【図６】
2018098678.tif 000008
【図７】
2018098678.tif 000009
【図８】
2018098678.tif 000010
【図９】
2018098678.tif 000011
【図１０】
2018098678.tif 000012
【図１１】
2018098678.tif 000013
【図１２】
2018098678.tif 000014
【図１３】
2018098678.tif 000015
【図１４】
2018098678.tif 000016